(57)【要約】【課題】  他の装置を使用せず、処理情報収集の負荷を低減させた、処理情報収集システムと、それに用いる管理画像形成装置及び画像形成装置を提供することを目的とする。【解決手段】  メインプリンタ１００ａは、ネットワークＮ上の他のプリンタ１００ｂ、１００ｃ、１００ｄ、１００ｅのＩＰアドレスを記憶する。メインプリンタ１００ａは、プリンタ１００ｂ、１００ｃ、１００ｄ、１００ｅの複数のＩＰアドレスからなるアドレスデータ列を、複数のＩＰアドレスの１つに対応するプリンタ１００ｂに送信して、課金情報収集を要求する。メインプリンタ１００ａは、プリンタ１００ｂ、１００ｃ、１００ｄ、１００ｅの課金データの合計された合計課金データを、プリンタ１００ｅから受信する。【選択図】    図１
2006155143.tif 000002
【特許請求の範囲】
【請求項１】
一または複数の画像形成装置を含むネットワークに接続し、前記一または複数の画像形成装置の識別情報を記憶した管理画像形成装置において、
前記一または複数の前記識別情報を、前記識別情報の一つに対応する前記画像形成装置に送信して前記一または複数の画像形成装置の処理状態情報を要求する要求送信手段と、
前記一または複数の画像形成装置の前記処理状態情報を、前記ネットワークに接続された各画像形成装置を経由させつつ、一つの前記画像形成装置から受信する応答受信手段と
を具備することを特徴とする管理画像形成装置。
【請求項２】
前記要求送信手段は、前記管理画像形成装置の前記処理状態情報を更に送信することを特徴とする、請求項１に記載の管理画像形成装置。
【請求項３】
前記処理状態情報は、画像形成処理の回数に基づく課金情報であることを特徴とする請求項１または２に記載の管理画像形成装置。
【請求項４】
管理画像形成装置を含むネットワークに接続し、前記管理画像形成装置の識別情報を記憶した画像形成装置において、
前記管理画像形成装置または他の画像形成装置から、前記処理状態情報の要求を受信する要求受信手段と、
前記受信した要求を読み出し、前記処理状態情報を追加して書き込んだ更新データを作成する更新データ作成手段と、
前記受信した要求に一または複数の前記識別情報が含まれているか否かを判別し、含まれていた場合は含まれていた前記識別情報の一つに対応する他の画像形性装置に前記更新データを送信し、含まれていない場合は前記管理画像形成装置の識別情報を用いて前記管理画像形性装置に前記更新データを送信する更新データ送信手段と
を具備することを特徴とする画像形成装置。
【請求項５】
前記処理状態情報は、画像形成処理の回数に基づく課金情報であり、前記更新データ作成手段は、前記受信した要求に前記他の画像形成装置または前記管理画像形成装置の前記課金情報が含まれていた場合、自身の前記課金情報を加算して前記更新データを作成することを特徴とする、請求項４に記載の画像形成装置。
【請求項６】
ネットワークに接続され、管理画像形成装置の識別情報を記憶した一または複数の画像形成装置と、前記一または複数の画像形成装置の識別情報を記憶し前記ネットワークに接続された管理画像形成装置とを有する処理状態収集システムであって、
前記管理画像形成装置は、
前記一または複数の前記識別情報を、前記識別情報の一つに対応する前記画像形成装置に送信して前記一または複数の画像形成装置の処理状態情報を要求する要求送信手段と、
前記一または複数の画像形成装置の前記処理状態情報を、前記ネットワークに接続された各画像形成装置を経由させつつ、一つの前記画像形成装置から受信する応答受信手段とを具備し、
前記画像形成装置は、
前記管理画像形成装置または他の画像形成装置から、前記処理状態情報の要求を受信する要求受信手段と、
前記受信した要求を読み出し、前記処理状態情報を書き込んだ更新データを作成する更新データ作成手段と、
前記受信した要求に一または複数の前記識別情報が含まれているか否かを判別し、含まれていた場合は含まれていた前記識別情報の一つに対応する他の画像形性装置に前記更新データを送信し、含まれていない場合は前記管理画像形成装置の識別情報を用いて前記管理画像形性装置に前記更新データを送信する更新データ送信手段と
を具備することを特徴とする処理情報収集システム。
【発明の詳細な説明】
【技術分野】
【０００１】
本発明は、処理情報収集機能を持つ管理画像形成装置及び画像形成装置並びに処理情報収集システムに関する。
【背景技術】
【０００２】
一般的に企業等でプリンタ、コピー機、ＦＡＸ、複合機等の画像形成装置を使用する際には、予め、部署ごとにトナーや用紙を購入するための予算が決められている。コピー機ならば各部署のコピーカードを装置に挿して使用し、また、プリンタ、ＦＡＸ、複合機であればトナーや用紙の支給自体を制限して、予算と実績を管理していた。
近年においては、コピー機を使用する際にはタッチパネル式ディスプレイ等から各部署に割り当てられたパスワードを要求する、または、ＬＡＮ経由で印刷要求を出すＰＣに対してパスワードを入力させ、画像形成装置内で部署ごとの印刷処理の回数をカウントする方法が知られている。しかしこの場合、複数の装置内に格納された印刷処理回数のデータを回収するために、管理者がそれぞれの画像形成装置に近づき、タッチパネルから操作してデータを取得する作業をする、或いは、ＬＡＮ上にホストコンピュータを設置し、印刷処理回数のデータをホストコンピュータで一旦まとめる方法がある。しかしながら、前者の方法は、ネットワーク上の異なる場所に画像形成装置が点在していた場合に、管理者にとって不便であり、また後者は、ホストコンピュータを設置するため、場所やコストがかかるという問題があった。
この問題に対し、ＬＡＮ上の複数の画像形成装置の中の１つをメイン画像形成装置とし、他の画像形成装置のデータをメイン画像形成装置に集約する技術として、特許文献１が公開されている。
【特許文献１】特開２００３−６６７８５号公報
【発明の開示】
【発明が解決しようとする課題】
【０００３】
しかしながら、この技術は、他の装置が多数あった場合、メイン画像形成装置のデータ受信の頻度が多くなることが予想されるため、メイン画像形成装置の受信処理の負荷が高くなり、本来の役割である印刷処理を遂行できなくなるという問題があった。
【０００４】
この発明は上記の点を鑑みてなされたもので、他の装置を使用せず、処理情報収集の負荷を低減させた、処理情報収集システムと、それに用いる管理画像形成装置及び画像形成装置を提供することを目的とする。
【課題を解決するための手段】
【０００５】
上記の課題を解決するために、請求項１の発明は、一または複数の画像形成装置を含むネットワークに接続し、前記一または複数の画像形成装置の識別情報を記憶した管理画像形成装置において、前記一または複数の前記識別情報を、前記識別情報の一つに対応する前記画像形成装置に送信して前記一または複数の画像形成装置の処理状態情報を要求する要求送信手段と、前記一または複数の画像形成装置の前記処理状態情報を、前記ネットワークに接続された各画像形成装置を経由させつつ、一つの前記画像形成装置から受信する応答受信手段とを具備することを特徴とする管理画像形成装置である。
【０００６】
請求項２の発明は、請求項１の発明において、前記要求送信手段は、前記管理画像形成装置の前記処理状態情報を更に送信することを特徴とする。
【０００７】
請求項３の発明は、請求項１または２の発明において、前記処理状態情報は、画像形成処理の回数に基づく課金情報であることを特徴とする。
【０００８】
請求項４の発明は、管理画像形成装置を含むネットワークに接続し、前記管理画像形成装置の識別情報を記憶した画像形成装置において、前記管理画像形成装置または他の画像形成装置から、前記処理状態情報の要求を受信する要求受信手段と、前記受信した要求を読み出し、前記処理状態情報を追加して書き込んだ更新データを作成する更新データ作成手段と、前記受信した要求に一または複数の前記識別情報が含まれているか否かを判別し、含まれていた場合は含まれていた前記識別情報の一つに対応する他の画像形性装置に前記更新データを送信し、含まれていない場合は前記管理画像形成装置の識別情報を用いて前記管理画像形性装置に前記更新データを送信する更新データ送信手段とを具備することを特徴とする画像形成装置である。
【０００９】
請求項５の発明は、請求項４の発明において、前記処理状態情報は、画像形成処理の回数に基づく課金情報であり、前記更新データ作成手段は、前記受信した要求に前記他の画像形成装置または前記管理画像形成装置の前記課金情報が含まれていた場合、自身の前記課金情報を加算して前記更新データを作成することを特徴とする。
【００１０】
請求項６の発明は、ネットワークに接続され、管理画像形成装置の識別情報を記憶した一または複数の画像形成装置と、前記一または複数の画像形成装置の識別情報を記憶し前記ネットワークに接続された管理画像形成装置とを有する処理状態収集システムであって、前記管理画像形成装置は、前記一または複数の前記識別情報を、前記識別情報の一つに対応する前記画像形成装置に送信して前記一または複数の画像形成装置の処理状態情報を要求する要求送信手段と、前記一または複数の画像形成装置の前記処理状態情報を、前記ネットワークに接続された各画像形成装置を経由させつつ、一つの前記画像形成装置から受信する応答受信手段とを具備し、前記画像形成装置は、前記管理画像形成装置または他の画像形成装置から、前記処理状態情報の要求を受信する要求受信手段と、前記受信した要求を読み出し、前記処理状態情報を書き込んだ更新データを作成する更新データ作成手段と、前記受信した要求に一または複数の前記識別情報が含まれているか否かを判別し、含まれていた場合は含まれていた前記識別情報の一つに対応する他の画像形性装置に前記更新データを送信し、含まれていない場合は前記管理画像形成装置の識別情報を用いて前記管理画像形性装置に前記更新データを送信する更新データ送信手段とを具備することを特徴とする処理情報収集システムである。
【発明の効果】
【００１１】
請求項１、４および６に記載の発明によれば、管理画像形成装置が複数の他の画像形成装置に処理情報を要求しても、管理画像形成装置が１台の他の画像形成装置からの受信処理を行うだけで複数の他の画像形成装置の処理情報を取得できるため、管理画像形成装置の処理情報の収集処理の付加を軽くすることができる。
【００１２】
請求項２に記載の発明によれば、管理画像形成装置の処理情報も、他の画像形成装置の処理情報収集と同時に行うことが可能である。
【００１３】
請求項３および５に記載の発明によれば、複数の画像形成装置、及び管理画像形成装置のそれぞれに格納された、画像形成処理に基づく課金情報を、管理画像形成装置に集約して取得できるため、管理者の課金情報収集処理を低減できる。
【発明を実施するための最良の形態】
【００１４】
本発明の画像形成装置とは、装置の処理状態を示す処理状態データ（例えば、印刷処理の回数に比例して加算される課金情報）を格納し、その処理状態データを他の画像形成装置に要求する機能、またはその要求を受信して自身の処理状態データを返信する機能を持った画像形成装置である。例えばプリンタ、コピー機、ＦＡＸ、複合機などがある。
以下では本発明の画像形成装置をプリンタに適用し、ＬＡＮ等のネットワーク内のプリンタの課金情報を収集するシステムの第１の実施形態について説明する。
図２は本実施形態に用いられるプリンタ１００の構成図である。プリンタ１００は、ＣＰＵ（中央演算装置）１８０を持ち、ＨＤ（Ｈａｒｄ Ｄｉｓｋ）１３１、ＲＯＭ（Ｒｅａｄ Ｏｎｌｙ Ｍｅｍｏｒｙ）１３２、ＲＡＭ（Ｒａｎｄｏｍ Ａｃｃｅｓｓ Ｍｅｍｏｒｙ）１３３を含む記憶部１３０を有する。ここで、ＨＤ１３１には、帳票類（領収書、請求書）のフォーマットが格納されており、また、動作中に画像データ等を含む印刷要求が格納される。また、ＲＡＭ１３３は揮発性、及び不揮発性の両方のメモリが含まれ、不揮発性メモリには印刷処理の実行回数と、それを金額に換算するための換算データが格納されている。１４０は印刷用の画像データを受信し、印刷に関わる処理を統括して行い、用紙を給紙して画像データを印刷し、印刷済の用紙を排出する印刷処理部である。１５０は、ＬＡＮ（Ｌｏｃａｌ Ａｒｅａ Ｎｅｔｗｏｒｋ）等のネットワークＮに接続し、印刷要求、画像データの受信を行う通信部である。１６０は、タッチパネル機能を有する表示部である。なお、タッチパネル表示部１６０は、テンキーやファンクションキー等からなる入力部と、ＣＲＴ（Ｃａｔｈｏｄｅ Ｒａｙ Ｔｕｂｅ）や液晶ディスプレイ等の表示部で構成されても良い。
【００１５】
このＣＰＵ１８０は、以下で述べる機能を実現するためのプログラム（図示せず）をＲＡＭ１３３にロードして実行することで実現する。
【００１６】
なお、上記の各機能は、専用のハードウェアを用いて実現されても良い。
【００１７】
図１は、本実施形態による、課金情報収集システムの一部の構成を示す図である。図２に示すプリンタ１００と同一の構成を持つ５台のプリンタ１００ａ、１００ｂ、１００ｃ、１００ｄ、１００ｅが、ＬＡＮ等のネットワークＮに接続されている。このネットワークＮには、ユーザーが任意に５台のプリンタ１００ａ、１００ｂ、１００ｃ、１００ｄ、１００ｅのいずれかを選択して印刷要求を送信する複数台のＰＣ（図示せず）が接続されている。
【００１８】
始めに、管理者が、ネットワークＮ上に５台のプリンタ１００からなる課金情報収集システムを構築する方法に付いて、図３のフローチャートを参照して説明する。
管理者は５台のプリンタ１００ａ、１００ｂ、１００ｃ、１００ｄ、１００ｅを、複数のＰＣが接続されているネットワークに接続する（ステップＳ３１０）。次いで、管理者は、５台のプリンタ１００ａ、１００ｂ、１００ｃ、１００ｄ、１００ｅに電源を投入する。各プリンタが起動した後、５台のプリンタ１００ａ、１００ｂ、１００ｃ、１００ｄ、１００ｅのそれぞれに設けられたＣＰＵ１８０は、通信部１５０からの印刷要求の受信待ち、及び、課金情報収集処理を開始するかタッチパネル表示部１６０に表示し、ユーザーからの入力待ちを行う。その後、ユーザーが、ＰＣからネットワークＮを経由して５台のプリンタ１００ａ、１００ｂ、１００ｃ、１００ｄ、１００ｅのいずれかに印刷要求を送信すると、いずれかのプリンタのＣＰＵ１８０がこれを検出し、印刷要求に指定された画像データの印刷処理を行う。この際、各プリンタ１００ａ、１００ｂ、１００ｃ、１００ｄ、１００ｅはそれぞれ、ＰＣからの印刷要求を実行する度に、実行回数をカウントしてＲＡＭ１３３に格納し、以降、印刷要求を受信し、実行する度に実行回数を加算する。
【００１９】
次に、管理者が、定期的に、５台のプリンタ１００ａ、１００ｂ、１００ｃ、１００ｄ、１００ｅの印刷処理の実行回数に基づく課金のデータ収集を行う際の動作を説明する。管理者は５台のプリンタ１００ａ、１００ｂ、１００ｃ、１００ｄ、１００ｅのうち任意の１台（例えばプリンタ１００ａ）のタッチパネル表示部１６０から、課金情報収集処理を開始するよう要求する。プリンタ１００ａのＣＰＵ１８０は、通信部１５０を用いてネットワークＮに接続されたプリンタ１００を検索し、プリンタ１００ａ、１００ｂ、１００ｃ、１００ｄ、１００ｅの識別情報とＩＰアドレスを受信する。この時、プリンタ１００ｂ、１００ｃ、１００ｄ、１００ｅは、プリンタ１００ａがメインプリンタとなったことを判断し、要求の入ったＩＰパケットからプリンタ１００ａのＩＰアドレスを取得して、それぞれのＲＡＭ１３３に保存する（ステップＳ３２０）。その後、メインプリンタ１００ａのＣＰＵ１８０は、受信した識別情報の一覧をタッチパネル表示部１６０に表示させる（ステップＳ３２０）。管理者は、表示された識別情報の中から、課金データを取得したいプリンタ１００を選択する（ステップＳ３３０）。ここで、例えば、ユーザーがメインプリンタ１００ａとプリンタ１００ｂ、１００ｄ、１００ｅに対応する識別情報を選択する。これを受けて、メインプリンタ１００ａは、プリンタ１００ｂ、１００ｄ、１００ｅに課金情報を要求し、その後、合計の課金情報を取得する。次に、プリンタ１００ａのＣＰＵ１８０は、ＨＤ１３１から帳票類のフォーマットのデータを読み出し、取得した合計課金情報を用いて、書類の編集をし、印刷処理部１４０に印刷させる。なお、詳細は後述する。
【００２０】
以下では、ユーザーがメインプリンタ１００ａと、プリンタ１００ｂ、１００ｄ、１００ｅに対応する識別情報を選択した場合において、メインプリンタ１００ａが、ユーザーから選択されたプリンタ１００ｂ、１００ｄ、１００ｅに課金データを要求し、自身の課金データと合わせた合計課金データを取得する動作を、図４のフローチャートを用いて説明する。
【００２１】
まず、メインプリンタ１００ａのＣＰＵ１８０は、タッチパネル表示部１６０から選択された識別情報に、自身の識別情報が含まれているか判断する（ステップＳ３３１）。そして、自身の識別情報が含まれていた場合は、自身のＲＡＭ１３３から実行回数データと、前述の換算データを読み出し、印刷処理を課金額に変換して加算用課金データを作成する（ステップＳ３３２）。
一方、選択された識別情報にメインプリンタ１００ａの識別情報が含まれていない場合は、課金額を０として加算用課金データとする。
【００２２】
次いで、前述のステップＳ３３０でタッチパネル表示部１６０から選択された識別情報に従い、ＣＰＵ１８０は、他のプリンタ１００ｂ、１００ｄ、１００ｅのＩＰアドレスをＲＡＭ１３３から読み出し、それらを並べたアドレスデータ列を作成する。例えば、プリンタ１００ｂのＩＰアドレスの次にプリンタ１００ｄのＩＰアドレスを連結させ、更にその次にプリンタ１００ｅのＩＰアドレスを連結させたアドレスデータ列を作成する（ステップＳ３３３）。そして、前述のアドレスデータ列と加算用課金データとを連結したデータからなる課金情報収集コマンドを、プリンタ１００ｂに送信し、応答を待つ（ステップＳ３３４）。
【００２３】
次に、プリンタ１００ｂが、課金情報収集コマンドに応じて、自身の印刷処理による課金情報を出力する動作を、図５のフローチャートを参照しながら説明する。
前述のステップＳ３２０で、プリンタ１００ｂのＣＰＵ１８０は、メインプリンタ１００ａへ応答を送信した後、課金情報収集コマンドを受信したか否かを通信部１５０に問い合わせ、コマンド受信を待つ（ステップＳ３３６）。そして、コマンドが受信されると、ＲＡＭ１３３から実行回数データと換算データを読み出し、印刷処理を課金額に変換する。そして、受信したコマンドに含まれている加算用課金データにこれを加算し、加算用課金データを更新する（ステップＳ３３７）。
【００２４】
次いで、プリンタ１００ｂのＣＰＵ１８０は、受信したコマンドに含まれるアドレスデータ列を読み出し、自身のＩＰアドレスの次に他のプリンタのＩＰアドレスが格納されているか判断し（ステップＳ３３８）、受信したアドレスデータ列から自身のＩＰアドレスを削除した、新たなＩＰアドレスデータ列を作成する。
受信したアドレスデータ列に他のプリンタのＩＰアドレスが格納されていた場合は、対応する他のプリンタ（この場合プリンタ１００ｄ）へ、前述の新たなアドレスデータ列と更新した加算用課金データを連結させた、新たな課金情報収集コマンドを送信する（ステップＳ３３９）。一方、他のプリンタのＩＰアドレスが格納されていない場合は、ＲＡＭ１３３からプリンタ１００ａのＩＰアドレスを読み出し、プリンタ１００ａに、更新した加算用課金データを送信する（ステップＳ３４０）。
【００２５】
上述のステップＳ３３９にてプリンタ１００ｂが送信した課金情報収集コマンドを、他のプリンタ１００ｄの通信部１５０を経由しＣＰＵ１８０が受信すると、プリンタ１００ｄは、上述のステップＳ３３６〜Ｓ３４０の処理を同様に行い、プリンタ１００ｄのＩＰアドレスが削除されたアドレスデータ列と、プリンタ１００ｄの持つ課金データが加算された加算用課金データからなる新たな課金情報収集コマンドを、プリンタ１００ｅに送信する。その後、プリンタ１００ｅは、課金情報収集コマンドを受信すると、上述のステップＳ３３６〜Ｓ３４０の処理を同様に行い、アドレスデータ列が削除され、プリンタ１００ｅの持つ課金データが加算された加算用課金データをメインプリンタ１００ａに送信する。
【００２６】
メインプリンタ１００ａのＣＰＵ１８０は、メインプリンタ１００ａと、プリンタ１００ｂ、１００ｄ、１００ｅの課金データを合計した最終的な課金データを、プリンタ１００ｅから受信する（ステップＳ３３６）と、ＨＤ１３１から帳票類のフォーマットデータを読み出し、最終的な課金データを元に、請求書、領収書を印刷処理部１４０から印刷させる（図３ステップＳ３５０）。
なお、請求書、領収書を印刷する代わりに、タッチパネル表示部１６０に最終的な課金データの値を表示させ、管理者に通知しても良い。
【００２７】
このように、管理者が課金情報を取得する際に、ネットワークに接続した任意の１台のプリンタから、ネットワークに接続された所望のプリンタの課金情報の合計を、各々のプリンタが一対の送受信処理を行うだけで取得できるため、プリンタの負荷の軽くすることができる。
【００２８】
なお、上述の第１の実施形態において、５台のプリンタを使用したネットワークについて説明したが、２台以上のプリンタを使用したネットワークでも良い。
【００２９】
また、ステータスページを印刷させ、各プリンタのステータスを把握する、第２の実施形態について、図６のフローチャートを参照し、以下に説明する。第１の実施形態とは、収集するデータが課金データではなくステータスである点が異なる。
第１の実施形態のステップＳ２における、タッチパネル表示部１６０からの課金情報収集を開始する要求待ちに加えて、ネットワークＮ上のメインプリンタ１００ａとプリンタ１００ｂ、１００ｃ、１００ｄ、１００ｅのステータスの収集を開始する要求待ちを、メインプリンタ１００ａのＣＰＵ１８０が行う。ここでいうステータスとは、プリンタ１００が印刷処理中か、省エネモード中かの実行状況や、トナー残量、印刷枚数等を示すデータを指す。管理者がステータスの収集をタッチパネル１６０から要求すると、上述の課金情報収集待ちと同様に、ステータスデータを収集する。上記の課金情報収集時の処理と異なる点は、ステータスを知りたいプリンタを管理者がタッチパネル表示部１６０から選択し（ステップＳ３ａ）た後、ネットワーク上のプリンタは、個々のステータスを、次々に連結させて出力し、最終的にメインプリンタ１００ａは、複数のプリンタのステータスが連結された応答を受信する点である。メインプリンタ１００ａは、ステータス要求コマンドの応答を受信すると、受信データからプリンタごとにステータスページの画像を作成し、印刷処理部１４０にステータスページを印刷させる（ステップＳ３ｂ）。これにより、管理者は、ネットワークに接続した任意の複数のプリンタの個々のステータスページを、１台のプリンタから出力させることができ、これにより、管理者がネットワーク上の複数のプリンタを点検する際に、ネットワーク上の任意の複数のプリンタのメンテナンスが容易になる。
【００３０】
なお、上述の第２の実施形態において、ＨＤ１３１に点検表のフォーマットを格納し、ステータスデータを元に点検表を印刷させても良い。
【００３１】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００３２】
【図１】本発明の第一の実施形態による、課金情報収集システムの概要を示すブロック図である。
【図２】同実施形態による、プリンタの構成を示すブロック図である。
【図３】同実施形態における、管理者が課金情報収集システムを構築する際のプリンタの動作を示すフローチャートである。
【図４】同実施形態における、合計課金データをメインプリンタが取得する動作を示すフローチャートである。
【図５】同実施形態における、他のプリンタが課金情報を出力する動作を示すフローチャートである。
【図６】本発明の第２の実施形態における、管理者がステータス情報収集システムを構築する際のプリンタの動作を示すフローチャートである。
【符号の説明】
【００３３】
１００…プリンタ
１００ａ…メインプリンタ
１００ｂ…プリンタ
１００ｃ…プリンタ
１００ｄ…プリンタ
１００ｅ…プリンタ
１３０…記憶部
１３１…ＨＤ
１３２…ＲＯＭ
１３３…ＲＡＭ
１４０…印刷処理部
１５０…通信部
１６０…タッチパネル表示部
１８０…ＣＰＵ
Ｎ…ネットワーク
【図１】
2006155143.tif 000003
【図２】
2006155143.tif 000004
【図３】
2006155143.tif 000005
【図４】
2006155143.tif 000006
【図５】
2006155143.tif 000007
【図６】
2006155143.tif 000008